(57)【要約】      （修正有）【課題】色収差の補正と、球面収差、コマ収差などをバランス良く補正することができ、ズーム全域で良好な光学特性が得られるコンパクトなズームレンズを提供する。【解決手段】物体側から像側へ順に、正の屈折力の第１レンズ群Ｂ１、負の屈折力の第２レンズ群Ｂ２、正の屈折力のレンズ群を含む後続レンズ群ＬＲより構成され、広角端に比べて望遠端において前記第１レンズ群と前記第２レンズ群との間隔が広くなるようにレンズ群を移動させてズーミングを行うズームレンズにおいて、前記第１レンズ群は少なくとも１つの負レンズを有し、前記少なくとも１つの負レンズの材料の焦点距離、およびアッベ数と部分分散比νｄ１ｎ、θｇＦ１ｎを各々適切に設定する。【選択図】図１
2016004137.tif 000002
【特許請求の範囲】
【請求項１】
物体側から順に正の屈折力の第１レンズ群、負の屈折力の第２レンズ群、正の屈折力のレンズ群を含む後続レンズ群より構成され、広角端に比べて望遠端において前記第１レンズ群と第２レンズ群の間隔が広がるようにレンズ群を移動させてズーミングを行うズームレンズにおいて、前記第１レンズ群は少なくとも一つの負レンズを有し、以下の条件式を満足することを特徴とする。
１．０３＜｜ｆ１ｎ｜／ｆ１ｐ＜１．８８・・・（１）
５．０＜ｆＴ／｜ｆ２｜＜２５．０・・・（２）
３．０＜ｆ１／｜ｆ２｜＜１０．０・・・（３）
３．１５×１０−４×νｄ１ｎ２−１．８６×１０−２×νｄ１ｎ＋０．８７８≦θｇＦ１ｎ＜３．１５×１０−４×νｄ１ｎ２−１．８６×１０−２×νｄ１ｎ＋０．８７８‥‥‥（４）
２４＜νｄ１ｎ＜２８‥‥‥（５）
ｆ１ｎは前記少なくとも一つの負レンズの焦点距離、ｆ１ｐは第１群の正レンズの平均焦点距離、ｆ２は第２群の焦点距離、ｆ１は第１群の焦点距離、νｄ１ｎ、θｇＦ１ｎは前記少なくとも一つの負レンズの材料のそれぞれアッべ数と部分分散比である。
【請求項２】
物体側から順に正の屈折力の第１レンズ群、負の屈折力の第２レンズ群、正の屈折力のレンズ群を含む後続レンズ群より構成され、広角端に比べて望遠端において前記第１レンズ群と第２レンズ群の間隔が広がるようにレンズ群を移動させてズーミングを行うズームレンズにおいて、前記第１レンズ群は少なくとも一つの負レンズを有し、以下の条件式を満足することを特徴とする。
３．１５×１０−４×νｄ１ｎ２−１．８６×１０−２×νｄ１ｎ＋０．８７８≦θｇＦ１ｎ＜３．１５×１０−４×νｄ１ｎ２−１．８６×１０−２×νｄ１ｎ＋０．８７８‥‥‥（４）
２４＜νｄ１ｎ＜２８‥‥‥（５）
θｇＦ１ｎは前記少なくとも一つの負レンズの材料のそれぞれアッべ数と部分分散比である。
【発明の詳細な説明】
【技術分野】
【０００１】
本発明は、ズームレンズおよびそれを有する撮像装置に関し、特にスチルカメラ、ビデオカメラ、デジタルスチルカメラ、ＴＶカメラ、そして監視用カメラ等の撮像光学系に好適なものである。
【背景技術】
【０００２】
近年、デジタルカメラやビデオカメラなどの撮像装置に用いられている撮像素子は高画素化が進んでいる。このような撮像素子を備える撮像装置で用いる撮影レンズには、球面収差、コマ収差などの単色（単波長）収差の補正に加え、白色光源において像の色にじみがないように色収差も良好に補正された、高解像力なズームレンズであることが要求されている。
【０００３】
この他、撮影領域の拡大のため、高ズーム比（高変倍比）であることが望まれている。特に、高ズーム比で望遠側の焦点距離の長い望遠型のズームレンズでは、高解像力化のため色収差の補正として、１次の色消しに加え、２次スペクトルが良好に補正されていることが望まれている。
【０００４】
高ズーム比のズームレンズとして、物体側より像側へ順に、正の屈折力の第１レンズ群と負の屈折力の第２レンズ群及び正の屈折力のレンズ群を含む後続レンズ群を配置した、所謂ポジティブリードタイプのズームレンズが知られている。ポジティブリードタイプのズームレンズとして第１レンズ群のレンズの材料に異常分散材料を使用し、色収差（２次スペクトル）を良好に補正した４群以上のレンズ群を有するズームレンズが知られている（特許文献１）。
【先行技術文献】
【特許文献】
【０００５】
【特許文献１】特開２０１０−２３７４５５号公報
【発明の概要】
【発明が解決しようとする課題】
【０００６】
ポジティブリードタイプのズームレンズは全系の小型化を図りつつ、高ズーム比化を図ることが比較的容易である。しかしながらポジティブリードタイプのズームレンズにおいて、高ズーム比化を図ると望遠側のズーム領域において軸上色収差の二次スペクトルが多く発生してくる。前述の４群ズームレンズや５群ズームレンズにおいては、望遠域において第１レンズ群で入射光線高が高くなり、前述の軸上色収差は主にこの第１レンズ群で発生している。
【０００７】
このときの２次スペクトルを軽減するには、望遠端において近軸光線の高さが高くなる第１レンズ群で補正することが重要である。第１レンズ群内でこのときの軸上色収差の二次スペクトルを低減させるには第１レンズ群内の負レンズに低分散かつ異常分散性の材料を用いるのが有効である。
【０００８】
しかしながら、所望の２次スペクトルを補正するためには負レンズの屈折力ある程度大きく持たせる必要がある。屈折力を大きくすると、負レンズと正レンズの接合面の曲率が小さくなり、負レンズのレンズ厚（凸面の頂点から凹面のエッジまでの厚み）が厚くなってしまい、第1群の小型化を図るのが困難になってくる。
【０００９】
本発明は、ポジティブリードタイプのズームレンズにおいて、色収差の補正と、球面収差、コマ収差などをバランス良く補正することができ、第1群を小型化しつつ、ズーム全域で良好な光学特性が得られるズームレンズの提供を目的とする。
【課題を解決するための手段】
【００１０】
上記目的を達成するために、本発明は、物体側から順に正の屈折力の第１レンズ群、負の屈折力の第２レンズ群、正の屈折力のレンズ群を含む後続レンズ群より構成され、広角端に比べて望遠端において前記第１レンズ群と第２レンズ群の間隔が広がるようにレンズ群を移動させてズーミングを行うズームレンズにおいて前記第１レンズ群は少なくとも一つの負レンズを有し、以下の条件式を満足することを特徴とする。
【００１１】
１．０３＜｜ｆ１ｎ｜／ｆ１ｐ＜１．８８・・・（１）
５．０＜ｆＴ／｜ｆ２｜＜２５．０・・・（２）
３．０＜ｆ１／｜ｆ２｜＜１０．０・・・（３）
３．１５×１０−４×νｄ１ｎ２−１．８６×１０−２×νｄ１ｎ＋０．８７８≦θｇＦ１ｎ＜３．１５×１０−４×νｄ１ｎ２−１．８６×１０−２×νｄ１ｎ＋０．８７８‥‥‥（４）
２４＜νｄ１ｎ＜２８‥‥‥（５）
ｆ１ｎは前記少なくとも一つの負レンズの焦点距離、ｆ１ｐは第１群の正のレンズの平均焦点距離、ｆＴは全系望遠端の焦点距離、ｆ２は第２群の焦点距離、ｆ１は第１群の焦点距離である。νｄ１ｎ、θｇＦ１ｎは前記少なくとも一つの負レンズの材料のそれぞれアッべ数と部分分散比である。
【発明の効果】
【００１２】
本発明によれば、色収差の補正と、球面収差、コマ収差などをバランス良く補正することができ、第１群が小さくズーム全域で良好な光学特性が得られるズームレンズが得られる。
【図面の簡単な説明】
【００１３】
【図１】実施例１のズームレンズの広角端におけるレンズ断面図
【図２（Ａ）】実施例１のズームレンズの収差図
【図２（Ｂ）】実施例１のズームレンズの収差図
【図２（Ｃ）】実施例１のズームレンズの収差図
【図３】実施例２のズームレンズの広角端におけるレンズ断面図
【図４（Ａ）】実施例２のズームレンズの収差図
【図４（Ｂ）】実施例２のズームレンズの収差図
【図４（Ｃ）】実施例２のズームレンズの収差図
【図５】実施例３のズームレンズの広角端におけるレンズ断面図
【図６（Ａ）】実施例３のズームレンズの収差図
【図６（Ｂ）】実施例３のズームレンズの収差図
【図６（Ｃ）】実施例３のズームレンズの収差図
【図７】アッベ数νｄと部分分散比θｇＦの関係を示す説明図
【図８】本発明の撮像装置の要部概略図
【図９】本発明の撮像装置の要部概略図
【発明を実施するための形態】
【００１４】
以下に本発明の好ましい実施の形態を、添付の図面に基づいて詳細に説明する。本発明のズームレンズは、物体側から像側へ順に、正の屈折力の第１レンズ群、負の屈折力の第２レンズ群、正の屈折力のレンズ群を含む後続レンズ群を有している。そしてズーミングに際し各レンズ群の相互間隔が変化する。このとき広角端に比べ望遠端での第１レンズ群と第２レンズ群の間隔が広くなるようにしてズーミングを行っている。そして第１レンズ群は少なくとも１つの負レンズを有している。この少なくとも１つの負レンズは後述する条件式（４）、（５）を満足する材料より成っている。
【００１５】
図１は、本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は、本発明の実施例２のズームレンズの広角端におけるレンズ断面図である。
【００１６】
図４（Ａ）、（Ｂ）、（Ｃ）はそれぞれ実施例２のズームレンズの広角端、中間のズーム位置、望遠端における収差図である。図５は、本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。
【００１７】
図７は、アッベ数νｄと部分分散比θｇＦとの関係示す説明図である。図８は本発明のズームレンズをビデオカメラ（撮像装置）に適用したときの要部概略図である。図９は本発明のズームレンズをデジタルカメラ（撮像装置）に適用したときの要部概略図である。
【００１８】
各実施例のズームレンズはビデオカメラやデジタルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。
【００１９】
また、レンズ断面図において、ｉを物体側からのレンズ群の順番とすると、Ｂｉは第ｉレンズ群を示す。ＬＲは２以上のレンズ群を有する後続レンズ群である。ＳＰは開口絞りである。Ｇは光学フィルター、フェースプレート、ローパスフィルター、赤外カットフィルターなどに相当する光学ブロックである。
【００２０】
ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。矢印は広角端から望遠端へのズーミング（変倍）に際して、各レンズ群の移動軌跡を示している。
【００２１】
収差図において、球面収差は４つの波長（ｄ、ｇ、Ｃ、Ｆ線）について示している。非点収差はｄ線（波長５８７．５６ｎｍ）とｇ線（波長４３５．８３５ｎｍ）について示している。非点収差において、Ｍ（ｄ）、Ｓ（ｄ）はｄ線におけるメリディオナル像面とサジタル像面を示している。Ｍ（ｇ）、Ｓ（ｇ）はｇ線におけるメリディオナル像面とサジタル像面を示している。倍率色収差はｇ線によって表している。ωは半画角、ＦｎｏはＦナンバーである。尚、以下の各実施例において広角端と望遠端は変倍用のレンズ群が機構上、光軸上を移動可能な範囲の両端に位置したときのズーム位置をいう。
【００２２】
各実施例はいずれも、物体側から像側へ順に、正の屈折力の第１レンズ群Ｂ１、負の屈折力の第２レンズ群Ｂ２、そして正の屈折力のレンズ群を含む後続レンズ群ＬＲを有するズームレンズである。そしてズーミングに際しては、矢印で示す如くレンズ群が移動している。特にズーミングに際して第１レンズ群Ｂ１と第２レンズ群Ｂ２の間隔が変化している。
【００２３】
後続レンズ群ＬＲは、実施例１では正の屈折力の第３レンズ群Ｂ３と、正の屈折力の第４レンズ群Ｂ４により構成されている。実施例２、３では正の屈折力の第３レンズ群Ｂ３と、負の屈折力の第４レンズ群Ｂ４と、正の屈折力の第５レンズ群Ｂ５により構成されている。
【００２４】
ただし、各実施例において、後続レンズ群ＬＲを構成するレンズ群の数、そしてレンズ群の屈折力は任意であり、少なくとも２つのレンズ群を有していれば良い。各実施例では、高ズーム比化（高変倍比）を確保し、収差を良好に補正するために、物体側から像側へ順に正、負の屈折力のレンズ群を有するレンズ構成としている。
【００２５】
各実施例において、第１レンズ群Ｂ１は少なくとも１つの負レンズを有している。そして、少なくとも１つの負レンズの焦点距離をｆ１ｎ、全系望遠端の焦点距離をｆＴ、第１群の正のレンズの平均焦点距離をｆ１ｐとする。また、第１群の焦点距離をｆ１、第２群の焦点距離をｆ２、少なくとも１つの負レンズの材料のアッベ数と部分分散比を各々νｄ１ｎ、θｇＦ１ｎとする。
【００２６】
このとき、
１．０３＜｜ｆ１ｎ｜／ｆ１ｐ＜１．８８・・・（１）
５．０＜ｆＴ／｜ｆ２｜＜２５．０・・・（２）
３．０＜ｆ１／｜ｆ２｜＜１０．０・・・（３）
３．１５×１０−４×νｄ１ｎ２−１．８６×１０−２×νｄ１ｎ＋０．８７８≦θｇＦ１ｎ＜３．１５×１０−４×νｄ１ｎ２−１．８６×１０−２×νｄ１ｎ＋０．８７８‥‥‥（４）
２４＜νｄ１ｎ＜２８‥‥‥（５）
なる条件を満足している。
【００２７】
条件式（１）は、第１レンズ群Ｂ１の少なくとも１つの負レンズの焦点距離を適切に設定し、効果的に色収差を補正し、少なくとも１つの負レンズのレンズ厚を薄くするものである。条件式（１）の上限を超えると、第１レンズ群Ｂ１の少なくとも１つの負レンズのパワーが弱くなり、色収差補正が困難となる。条件式（１）の下限を超えると、第１群Ｂ１の少なくとも１つの負レンズのパワーが強くなり、凹面の曲率が大きくなり少なくとも１つの負レンズのレンズ厚が増大するので好ましくない。
【００２８】
条件式（２）は、望遠端における全系の焦点距離を第２レンズ群Ｂ２の焦点距離で規定するものである。条件式（２）の上限を超えて第２レンズ群Ｂ２の焦点距離が小さくなると、高ズーム比化およびレンズ全長の短縮が容易になるが、ペッツバール和が負の方向に大きくなり、像面湾曲が増大してくるので好ましくない。
【００２９】
条件式（２）の下限を超えて第２レンズ群Ｂ２の焦点距離が大きくなると、高ズーム比化のために、第２レンズ群Ｂ２の移動量を大きくする、または第２レンズ群Ｂ２よりも後方の後続レンズ群での変倍作用を大きくする必要がある。第２レンズ群Ｂ２の移動量を大きくするとレンズ全長が増大してくるので好ましくない。また、第２レンズ群Ｂ２よりも後方の後続レンズ群の変倍作用を大きくすると、レンズ全系の全長が長くなり、レンズ枚数の増加を招き好ましくない。
【００３０】
条件式（３）は、第２レンズ群Ｂ２の焦点距離を適切に設定し、適正な変倍比を保ち、ペッツバール和の補正を行うものである。条件式（３）の上限を超えると、ズーミングにおける第１レンズ群Ｂ１と第２レンズ群Ｂ２の収差変動が大きくなり、特に像面湾曲を補正することが困難となってくる。条件式（３）の下限を超えると、高ズーム比化のために、第２レンズ群Ｂ２の移動量が大きくなり、レンズ全長および径方向が増大してくるので好ましくない。
【００３１】
条件式（４）、（５）は、第１レンズ群Ｂ１が１以上の負レンズを有し、このときの少なくとも１つの負レンズを構成する材料のアッベ数νｄ１と部分分散比θｇＦ１ｎを規定したものである。なお、材料のアッベ数νｄと部分分散比θｇＦはフラウンホーファ線のｄ線、Ｆ線、Ｃ線、ｇ線における屈折率をＮｄ、ＮＦ、ＮＣ、Ｎｇとするとき、
νｄ＝（Ｎｄ−１）／（ＮＦ−ＮＣ）
θｇＦ＝（Ｎｇ−ＮＦ）／（ＮＦ−ＮＣ）
で定義される。
【００３２】
各実施例では、第１レンズ群Ｂ１に条件式（４）、（５）を同時に満足する材料で構成された負レンズを少なくとも１つ有するようにしている。これによって一次の色消しと、二次スペクトルの補正を良好に補正している。
【００３３】
図７は材料の、アッベ数νｄと部分分散比θｇＦの関係したグラフである。図７では横軸にアッベ数νｄ、縦軸に部分分散比θｇＦをとっている。図７では条件式（４）、（５）に関する領域を実線で示している。条件式（４）は、第１レンズ群Ｂ１中の少なくとも１つの負レンズの材料の部分分散比を規定する条件である。条件式（４）を満足する材料は、異常分散性を有するものである。
【００３４】
条件式（４）の範囲外となる材料は、二次スペクトルの低減のために必要な異常分散性が低いものとなるので良くない。条件式（４）を満足する負レンズのガラス（材料）組成の一成分としては、例えば二酸化テルル（ＴｅＯ２）を２０モル％以上含有した場合、アッベ数νｄと部分分散比θｇＦを所望の値にすることができる。
【００３５】
次に各実施例のズームレンズのレンズ構成について説明する。図１の実施例１では、広角端から望遠端へのズーミングに際して矢印のように、第２レンズ群Ｂ２を像側へ移動させて変倍を行っている。そして変倍に伴う像面変動を第４レンズ群Ｂ４を物体側に凸状の軌跡を有するよう移動させて補正している。また、第４レンズ群Ｂ４を光軸上移動させてフォーカシングを行うリアフォーカス式を採用している。
【００３６】
第４レンズ群Ｂ４に関する実線の曲線４ａと点線の曲線４ｂは、各々無限遠物体と近距離物体にフォーカスしているときの変倍に伴う像面変動を補正するための移動軌跡である。４ｃがフォーカスによる繰り出し量になる。このように第４レンズ群Ｂ４を物体側へ凸状の軌跡とすることで第３レンズ群Ｂ３と第４レンズ群Ｂ４との間の空気の有効利用を図り、レンズ全長の短縮化を効果的に達成している。又、望遠端において無限遠物体から近距離物体に繰り出すことで行っている。
【００３７】
実施例１ではズーミングに際して第１レンズ群Ｂ１と第３レンズ群Ｂ３を固定にして、全系の可動レンズ群を２つに抑えている。これによればズーミング時のレンズ全長の変化を無くすことができるので好ましい。また、ズーミングの際に結像面（像面）に対して開口絞りＳＰを固定（不動に）している。これにより開口絞りＳＰをズーミングの際に移動させるためのアクチュエータを不要として、構成を簡素化している。尚、第１レンズ群Ｂ１と第３レンズ群Ｂ３、そして開口絞りＳＰはズーミング及びフォーカスの為には光軸方向に移動しない。但し収差補正上、必要に応じ移動しても良い。
【００３８】
図３の実施例２では、広角端から望遠端へのズーミングに際して、矢印に示すように第１レンズ群Ｂ１を物体側に移動させるとともに、第２レンズ群Ｂ２を像側に移動させて主たる変倍を行っている。第３レンズ群Ｂ３と第４レンズ群Ｂ４は物体側に移動している。第５レンズ群Ｂ５は非線形な軌跡で移動させて変倍に伴う像面位置の変動を補正している。絞りＳＰは物体側へ独立に移動している。
【００３９】
また第５レンズ群Ｂ５に関する実線の曲線５ａと点線の曲線５ｂは、各々無限遠物体と近距離物体にフォーカスしているときの広角端から望遠端への変倍に伴う像面変動を補正するための移動軌跡を示している。このように第５レンズ群Ｂ５を物体側に凸状の軌跡を有するように移動させることにより、第４レンズ群Ｂ４と第５レンズ群Ｂ５の間の空間の有効利用を図りレンズ全長の短縮化を効果的に達成している。
【００４０】
本実施例において、例えば物体側において無限遠物体から近距離物体へのフォーカスは、同図の直線５ｃに示すように第５レンズ群Ｂ５を前方へ繰り出すことによって行っている。実施例３ではズーミングに際して各レンズ群を移動し、レンズ系の小型化を行っている。また、これによりズーミング時の収差変動を抑えている。
【００４１】
次に本発明のズームレンズを撮影光学系として用いたカムコーダーの実施例を図８、デジタルスチルカメラの実施例を図９を用いて説明する。図８において、１０はカメラ本体、１１は実施例１〜３説明したいずれかのズームレンズによって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。１３は液晶ディスプレイパネル等によって構成され、固体撮像素子１２上に形成された被写体像を観察するためのファインダである。
【００４２】
図９において、２０はカメラ本体、２１は実施例１〜３説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。
【００４３】
次に各実施例に対応する数値実施例を示す。数値実施例において、ｉは物体側からの面の順番を示す。ｒｉは物体側より順に第ｉ番目の面の曲率半径、ｄｉは物体側より順に第ｉ番目と第ｉ＋１番目間のレンズ厚及び空気間隔である。ｎｄｉとνｄｉは各々物体側より順に第ｉ番目の光学部材の材質の屈折率とアッベ数である。又前述の各条件式と各数値実施例との関係を表−１に示す。非球面形状は光軸方向にＸ軸、光軸と垂直方向にＨ軸、光の進行方向を正としＲを近軸曲率半径、Ｋを円錐定数、Ａ４〜Ａ１０を各々非球面係数としたとき
【００４４】
【数１】
2016004137.tif 000003
【００４５】
なる式で表している。＊は非球面形状を有する面を意味している。「ｅ−ｘ」は１０−ｘを意味している。
【００４６】
［数値実施例１］
単位  ｍｍ
面データ
面番号       r        d      nd         vd       θgf           有効径
1         38.550    1.15   1.82008    25.4       0.6093         23.11
2         18.969    4.54   1.60311    60.6       0.5415         21.65
3        494.337    0.20                                        21.01
4         18.866    3.20   1.69350    50.8       0.5667         19.19
5         54.129  (可変)                                        18.39
6         23.920    0.60   1.88300    40.8       0.5667          8.80
7          4.621    2.60                                         6.98
8        -10.297    0.60   1.77250    49.6       0.5521          6.71
9         43.329    0.43                                         6.63
10         14.200    1.47   1.92286    18.9       0.6495          6.84
11       -311.485  (可変)                                         6.66
12*        10.929    2.15   1.58313    59.4       0.5423          8.43
13       -102.153    1.40                                         8.18
14(絞り)    ∞       2.30                                         7.78
15         38.476    0.60   1.84666    23.8       0.6205          7.09
16         10.864    0.20                                         6.84
17*        11.292    1.58   1.58313    59.4       0.5423          6.85
18       -134.231  (可変)                                         6.70
19         17.267    2.06   1.80400    46.6       0.5572          6.74
20        -17.027    0.55   1.92286    18.9       0.6495          6.64
21        -43.310  (可変)                                         6.59
22          ∞       1.00   1.51633    64.1       0.5352         20.00
23          ∞     (可変)                                        20.00
像面        ∞   
非球面データ
第12面
K =-8.85802e-001  A 4= 3.56682e-005  A 6=-3.42001e-007  A 8= 5.21683e-009  
第17面
K =-3.29557e-002  A 4=-2.10744e-004  
各種データ
ズーム比     14.82 
広角     中間     望遠
焦点距離       4.25    22.43    62.98  
Fナンバー      1.90     2.15     3.08  
画角          27.90     5.73     2.05  
像高           2.25     2.25     2.25  
レンズ全長    61.01    61.01    61.01  
BF             1.00     1.00     1.00  
d 5            0.65    14.91    19.41  
d11           19.56     5.30     0.80  
d18            6.01     2.38     8.74  
d21            7.15    10.78     4.42  
d23            1.00     1.00     1.00  
入射瞳位置    15.90    98.09   244.37  
射出瞳位置   -35.63   -23.56   -64.98  
前側主点位置  19.66   100.04   247.23  
後側主点位置  -3.25   -21.43   -61.98  
ズームレンズ群データ
群  始面    焦点距離  レンズ構成長  前側主点位置  後側主点位置
1    1      30.50         9.10         1.70         -3.86
2    6      -5.77         5.69         0.43         -4.18
3   12      17.02         8.23         0.35         -6.36
4   19      16.70         2.61         0.38         -1.08
5   22       ∞           1.00         0.33         -0.33
単レンズデータ
レンズ  始面  焦点距離
1       1    -46.78
2       2     32.59
3       4     40.26
4       6     -6.58
5       8    -10.72
6      10     14.75
7      12     17.05
8      15    -18.06
9      17     17.93
10      19     10.96
11      20    -30.71
12      22      0.00
［数値実施例２］
単位ｍｍ
面データ
面番号       r        d      nd         vd                     有効径
1         59.533    1.80   1.90036    27.1       0.6008        39.11
2         41.203    5.28   1.49700    81.1       0.5375        37.33
3       -494.766    0.20                                       36.77
4         35.719    3.43   1.61881    63.9       0.5417        34.26
5         74.533  (可変)                                       33.71
6         34.906    1.00   1.88300    40.8       0.5667        20.27
7          7.591    3.21                                       14.23
8         25.574    0.80   1.88300    40.8       0.5667        13.87
9         19.116    2.08                                       13.19
10        -22.896    0.70   1.80610    33.3       0.5881        13.15
11         28.986    0.20                                       13.31
12         18.083    2.40   1.92286    18.9       0.6495        13.71
13       -104.421  (可変)                                       13.63
14(絞り)    ∞     (可変)                                        6.66
15*         7.849    3.20   1.58313    59.4       0.6495         8.05
16        -42.078    1.51                                        7.48
17         69.975    0.80   1.76182    26.5       0.6136         6.53
18          7.938    0.50                                        6.27
19         11.959    0.70   2.00069    25.5       0.6136         6.37
20          5.954    2.70   1.69895    30.1       0.6029         6.20
21        366.149  (可変)                                        6.30
22        253.458    0.70   1.51633    64.1       0.5352         7.03
23         45.955  (可変)                                        7.10
24*        15.973    2.50   1.58313    59.4       0.5423        11.71
25       -323.225  (可変)                                       11.55
26          ∞       1.00   1.51633    64.1       0.53524       20.00
27          ∞     (可変)                                       20.00
像面        ∞   
非球面データ
第15面
K =-1.90608e-001  A 4=-1.43768e-004  A 6=-4.91133e-007  A 8=-6.08430e-008  A10= 1.02839e-009  
第24面
K = 3.03375e+000  A 4=-1.02377e-004  A 6=-2.17787e-007  A 8=-2.79499e-008  
各種データ
ズーム比     18.62 
広角     中間     望遠
焦点距離       5.15    18.34    95.87  
Fナンバー      2.86     3.50     5.42  
画角          36.96    11.93     2.31  
像高           3.88     3.88     3.88  
レンズ全長    85.57    91.29   120.00  
BF             2.00     2.00     2.00  
d 5            0.70    22.69    41.51  
d13           28.98     9.85     3.50  
d14            7.39     4.70     2.00  
d21            1.66     0.84     6.31  
d23            2.00     2.00    20.40  
d25            8.13    14.50     9.57  
d27            2.00     2.00     2.00  
入射瞳位置    20.32    79.11   301.51  
射出瞳位置   -49.00   -39.45   116.80  
前側主点位置  24.95    89.34   477.45  
後側主点位置  -3.15   -16.34   -93.87  
ズームレンズ群データ
群  始面    焦点距離  レンズ構成長  前側主点位置  後側主点位置
1    1      64.27        10.71         1.38         -5.40
2    6      -9.59        10.39         0.94         -7.33
3   14       ∞           0.00         0.00         -0.00
4   15      19.53         9.41        -3.67         -8.78
5   22    -108.84         0.70         0.56          0.10
6   24      26.17         2.50         0.07         -1.51
7   26       ∞           1.00         0.33         -0.33
単レンズデータ
レンズ  始面  焦点距離
1       1   -155.89
2       2     76.78
3       4    107.22
4       6    -11.18
5       8    -91.01
6      10    -15.77
7      12     16.86
8      15     11.62
9      17    -11.82
10      19    -12.58
11      20      8.63
12      22   -108.84
13      24     26.17
14      26      0.00
［数値実施例３］
単位ｍｍ
面データ
面番号       r        d      nd         vd                     有効径
1        130.004    2.00   1.85478    24.8       0.6122        49.01
2         49.936    7.00   1.65160    58.5       0.5426        45.69
3      -7910.723    0.15                                       44.63
4         43.188    4.17   1.78650    50.0       0.5514        41.38
5         92.675  (可変)                                       40.45
6         57.721    1.20   1.80610    40.9       0.5701        23.80
7         11.767    4.74                                       17.40
8        -65.098    1.10   1.80400    46.6       0.5572        17.00
9         24.608    0.12                                       15.75
10         18.696    3.41   1.84666    23.8       0.6205        15.59
11        -46.950    0.63                                       14.85
12        -29.375    1.10   1.83481    42.7       0.5636        14.57
13        113.092  (可変)                                       13.51
14(絞り)    ∞       0.10                                       12.65
15         26.036    1.10   1.84666    23.8       0.6205        13.20
16         14.602    3.14   1.51633    64.1       0.5352        13.11
17        -91.384    0.15                                       13.40
18         39.537    2.24   1.71300    53.9       0.5458        14.03
19        -44.080  (可変)                                       14.34
20        -31.171    2.78   1.80518    25.4       0.6161        17.49
21        -15.936    1.20   1.80400    46.6       0.5572        18.11
22        215.181  (可変)                                       19.76
23         50.382    5.85   1.48749    70.2       0.5300        26.43
24        -28.387    0.15                                       27.05
25         65.065    4.56   1.60311    60.6       0.5414        27.26
26        -44.110    3.29                                       27.09
27*       -34.215    1.50   1.84666    23.8       0.6205        25.68
28        298.188  (可変)                                       26.93
像面        ∞   
非球面データ
第27面
K = 0.00000e+000  A 4=-1.40548e-005  A 6=-2.91696e-008  A 8= 9.07505e-011  A10=-1.92345e-013  
A 3=-4.98791e-006  
各種データ
ズーム比      4.09 
広角     中間     望遠
焦点距離      24.91    57.09   101.76  
Fナンバー      3.68     4.91     5.83  
画角          40.98    20.75    12.00  
像高          21.64    21.64    21.64  
レンズ全長   117.79   138.93   152.00  
BF            40.13    48.11    53.13  
d 5            1.40    20.54    32.14  
d13           11.22     5.56     2.43  
d19            1.00     7.77    11.60  
d22           12.35     5.26     1.00  
d28           40.13    48.11    53.13  
入射瞳位置    23.39    63.11   106.10  
射出瞳位置   -43.96   -34.88   -29.07  
前側主点位置  40.92    80.93    81.88  
後側主点位置  15.22    -8.98   -48.63  
ズームレンズ群データ
群  始面    焦点距離  レンズ構成長  前側主点位置  後側主点位置
1    1      79.56        13.32         2.50         -5.26
2    6     -12.79        12.31         2.58         -5.84
3   14      20.93         6.73         2.59         -1.81
4   20     -33.67         3.98         0.27         -1.91
5   23      36.42        15.36        -2.27        -11.65
単レンズデータ
レンズ  始面  焦点距離
1       1    -95.96
2       2     76.18
3       4     99.15
4       6    -18.55
5       8    -22.09
6      10     16.18
7      12    -27.83
8      15    -41.09
9      16     24.63
10      18     29.56
11      20     37.45
12      21    -18.41
13      23     38.18
14      25     44.28
15      27    -36.18
実施例条件式対応値
【表１】
2016004137.tif 000004
【符号の説明】
【００４７】
Ｂ１  第１レンズ群、Ｂ２  第２レンズ群、Ｂ３  第３レンズ群、Ｂ４  第４レンズ群、Ｂ５  第５レンズ群、ＳＰ  開口絞り、Ｇ  ガラスブロック、ＩＰ  像面、ｄ  ｄ線、
ｇ  ｇ線、Ｃ  Ｃ線、Ｆ  Ｆ線、Ｍ  メリディオナル像面、Ｓ  サジタル像面
【図１】
2016004137.tif 000005
【図２（Ａ）】
2016004137.tif 000006
【図２（Ｂ）】
2016004137.tif 000007
【図２（Ｃ）】
2016004137.tif 000008
【図３】
2016004137.tif 000009
【図４（Ａ）】
2016004137.tif 000010
【図４（Ｂ）】
2016004137.tif 000011
【図４（Ｃ）】
2016004137.tif 000012
【図５】
2016004137.tif 000013
【図６（Ａ）】
2016004137.tif 000014
【図６（Ｂ）】
2016004137.tif 000015
【図６（Ｃ）】
2016004137.tif 000016
【図７】
2016004137.tif 000017
【図８】
2016004137.tif 000018
【図９】
2016004137.tif 000019